(57)【要約】【課題】容器の壁面への原水入水接続管および浄水流出接続管の取付部における耐圧性および耐久性を高める。【解決手段】厚さｔ1の蓋体２の上面には、本体容器１内に原水を導入する原水入水接続管４と、浄水カートリッジ９により浄化された浄水が出水される浄水流出接続管５とが溶接により取り付けられている。厚さｔ2の取付具６の孔６ａ、６ｂ、および、厚さｔ3の補強プレート７の孔７ａ、７ｂに、原水入水接続管４および浄水流出接続管５を差し込み、厚さｔ4の締付けナット８により締め付け固定することで、原水入水接続管４および浄水流出接続管５の取付部である根元部分１１の近傍を肉厚構造としている。【選択図】図２
2008080337.tif 000002
【特許請求の範囲】
【請求項１】
内部に濾材カートリッジを収容し、壁面に原水入水接続管及び浄水流出接続管が設けられた容器と、
前記原水入水接続管を挿通可能な孔及び浄水流出接続管を挿通可能な孔が形成されたプレート状の補強材と、
前記原水入水接続管を挿通可能な孔及び浄水流出接続管を挿通可能な孔が形成された取付具とを有する浄水器において、
前記取付具は、該取付具に形成された各孔を通じて、該原水入水接続管及び該浄水流出接続管の両方に差し込まれるとともに、前記原水入水接続管及び前記浄水流出接続管に形成されたねじ部に螺合する締め付けナットにより該容器に対して締め付け固定され、
前記補強材は、該原水入水接続管及び該浄水流出接続管の両方に差し込まれて前記取付具と締め付けナットとの間に固定されていることを特徴とする浄水器。
【請求項２】
前記補強材が金属又は繊維強化プラスチックからなる請求項１に記載の浄水器。
【請求項３】
前記容器が、前記濾材カートリッジを収容する有底筒状のケーシング本体と、前記ケーシング本体の上端開口を封鎖する蓋体とを有し、前記蓋体に前記原水入水接続管及び浄水流出接続管が取り付けられている、請求項１又は２に記載の浄水器。
【発明の詳細な説明】
【技術分野】
【０００１】
本発明は、水道水やその他の原水中に含まれる塩素や臭気原因物質、有害物質等を除去することにより、おいしく安全な水を供給するための浄水器に関する。
【背景技術】
【０００２】
安全な水を供給するために、水道水には殺菌用の塩素添加が義務づけられている。そのため、水道水が雑菌により汚染される懸念は少ないが、カルキ臭により水の味は損なわれてしまう。また、この塩素と水道水中に含まれるフミン質などの有機物質とが反応することにより、発ガン性を有するトリハロメタンが水道水中に生成することも確認されている。
【０００３】
また、近年の河川、湖沼の汚染等により、これらを原水とする水道水中には、２−メチルイソボルネオールのようなカビ臭原因物質が微量成分として含まれていることも確認されている。これらの水の味を損ねる物質、有害物質を除去するための浄水器が広く使用されている。
【０００４】
浄水器は様々なタイプがあり、使用者の目的、設置環境に応じて選択されており、蛇口の先端に取り付ける蛇口直結タイプ、流し横スペースに据え付ける据え置きタイプ、シンク下空間を利用して、浄水部を設置し、専用の水栓に接続するアンダーシンクタイプ等が使用されている。
【０００５】
浄水器は、一般家庭のみならず、飲食店等における業務用途での利用も増えて来ている。業務用途に使用される場合、浄水器の設置場所、設置目的は非常に多岐にわたり、調理用途全般はもちろん、炊飯用途、製氷器等の専用用途でも使用される。このような業務用途における利用では、各種調理装置の手前への設置や、調理場所への邪魔にならない効率的な設置が望まれることから、浄水器と浄水出口の間にバルブを設ける先止め方式で、水道配管中に浄水器を設置することが求められる。
【０００６】
先止め方式の設置では、浄水器に常時水圧がかかることになり、浄水器自体に高い強度が必要とされる。このため、濾材カートリッジを取替え可能としたステンレス製の容器を採用した浄水器が提案されている（例えば、特許文献１、あるいは特許文献２参照）。
【特許文献１】実公平８−１０４１７号公報
【特許文献２】特開２００１−２２４９１２号公報
【発明の開示】
【発明が解決しようとする課題】
【０００７】
従来の、ステンレス製の容器を採用した浄水器の場合、浄水器上部、蓋体に設けられる原水流入口及び浄水流出口は、接続配管根元が蓋体に溶接された構造となっている場合が多い。しかしながら、この接続配管根元部は、長期の使用に伴う加圧の繰り返しにより、最も負荷を受ける箇所であり、高水圧での使用、あるいは高頻度での使用により接続管と蓋体との溶接部分に亀裂等を発生するおそれが懸念されていた。
【０００８】
このような高負荷を繰り返し受ける原水入水接続管及び浄水流出接続管の強度を確保する構造としては、原水入水接続管及び浄水流出接続管を肉厚構造とすることが考えられる。肉厚構造としては、蓋体において原水入水接続管及び浄水流出接続管を溶接する部分を設計上肉厚としておく構造、蓋体内面側の接続配管に接する部分に補強部材を挿入した構造、あるいは、蓋体上面側に外付けで補強部材を挿入する構造等が考えられる。
【０００９】
しかしながら、蓋体を肉厚設計とする構造は、蓋体の成型加工が難しくなると同時に接続管溶接面積が大きくなる為に溶接加工も難しくなり、溶接方法次第では強度向上が望めないばかりか、コストアップに繋がり好ましくない。
【００１０】
一方、蓋体内面側に補強部材を挿入する構造においても、複雑な形状部への加工となることから、溶接方法次第では強度向上が望めないまま、コストアップに繋がり、好ましくない。
【００１１】
そこで、本発明は、コストアップを伴わずに、高圧での繰り返し使用時においても高い強度を有する浄水器を提供することを目的とする。
【課題を解決するための手段】
【００１２】
上記目的を達成するため本発明の浄水器は、内部に濾材カートリッジを収容し、壁面に原水入水接続管及び浄水流出接続管が設けられた容器と、原水入水接続管を挿通可能な孔及び浄水流出接続管を挿通可能な孔が形成されたプレート状の補強材と、原水入水接続管を挿通可能な孔及び浄水流出接続管を挿通可能な孔が形成された取付具とからなる浄水器であって、取付具は、該取付具に形成された各孔を通じて、該原水入水接続管及び該浄水流出接続管の両方に差し込まれるとともに、原水入水接続管及び浄水流出接続管に形成されたねじ部に螺合する締め付けナットにより該容器に対して締め付け固定され、補強材は、該原水入水接続管及び該浄水流出接続管の両方に差し込まれて取付具と締め付けナットとの間に固定されていることを特徴とする。
【００１３】
上記のとおりの本発明の浄水器は、原水入水接続管及び浄水流出接続管の根元部分となる、容器の壁面への取付部の近傍を肉厚構造とすることで繰り返しかかる負荷に対する耐圧性および耐久性を高めている。
【００１４】
また、本発明の浄水器は、補強材が金属又は繊維強化プラスチックからなるものであってもよい。
【００１５】
また、本発明の浄水器は、容器が、濾材カートリッジを収容する有底筒状のケーシング本体と、ケーシング本体の上端開口を封鎖する蓋体とを有し、蓋体に原水入水接続管及び浄水流出接続管が取り付けられているものであってもよい。
【発明の効果】
【００１６】
本発明によれば、原水入水接続管および浄水流出接続管の取付部の近傍を肉厚構造とすることで、長期に渡る使用時の耐圧性を向上させることができる。特に、補強材を原水入水接続管および浄水流出接続管に差し込んで締め付けナットにより締め付け固定されているものとすることで、複雑な追加工をせずに強度を容易に向上させることができる。また、補強材を浄水器を設置するための取付部を備えた形状とすることで、部品点数および製造工程を増やすことなく浄水器を安価に製造することができる。
【発明を実施するための最良の形態】
【００１７】
次に、本発明の実施の形態について図面を参照して説明する。
【００１８】
図１は、本発明の一実施形態の浄水器の全体断面図であり、図２は、浄水器上部、蓋体近傍を拡大して示した模式断面図である。
【００１９】
本実施形態の浄水器は、本体容器１と蓋体２とが締付けバンド３により組み合わせて締め付けられており、本体容器１内に、蓋体２のカートリッジ装着部１０に水密に取り付けられた浄水カートリッジ９を収納する構造を有するものであり、原水が、蓋体２に取り付けられた原水入水接続管４から本体容器１内へと導入され、浄水カートリッジ９内に流れ込み、浄水カートリッジ９内の濾過材により浄化されて浄水として、蓋体２に取り付けられた浄水流出接続管５より出水されるものである。
【００２０】
以下に、本実施形態の浄水器の蓋体２に取り付けられた原水入水接続管４および浄水流出接続管５の取付部、すなわち、根元部分１１の補強構造の詳細について説明する。
【００２１】
防錆効果を有するステンレス合金等の金属からなり厚さｔ1の蓋体２には、本体容器１内に原水を導入する原水入水接続管４と、浄水カートリッジ９により浄化された浄水が出水される浄水流出接続管５とが、各接続管の根元部分１１で蓋体２の上面に溶接により取り付けられている。原水入水接続管４および浄水流出接続管５もステンレス合金等の金属からなる。
【００２２】
本実施形態の浄水器はプレート状の取付具６によって、壁面に固定可能な構成となっている。厚さｔ2の取付具６には、原水入水接続管４を差し込む孔６ａと、浄水流出接続管５を差し込む孔６ｂとが形成されており、取付具６は、これら孔６ａ、６ｂのそれぞれに原水入水接続管４及び浄水流出接続管５を差し込むことで蓋体２に対して位置決めされている。
【００２３】
取付具６にはねじ留め用穴６ｃが形成されており、浄水器を目的とする設置場所に任意の方向で取り付けられる。この際、取付具６の向きは、図１に示すように、ねじ留め用穴６ｃが形成された部分を下向きにして蓋体２に取り付けるものであってもよいが、これに限定されるものではなく、上下逆方向にして吊り下げ状態で蓋体２に取り付けるものであってもよい。さらに、浄水器本体の設置方向についても特に限定されず、設置場所に応じて縦配置設置、横配置設置等任意に選定できる。
【００２４】
この取付具６上には厚さｔ3の補強プレート７がさらに配置されている。この補強プレート７にも、取付具６と同様に、原水入水接続管４を差し込む孔７ａと、浄水流出接続管５を差し込む孔７ｂとが形成されており、位置決めされた取付具６の上から、孔７ａ、７ｂのそれぞれに原水入水接続管４及び浄水流出接続管５を差し込むことで蓋体２に対して位置決めされている。
【００２５】
補強プレート７に用いられる材質は、目的とする補強効果を、補強プレート７の破損等無く達成できるものであれば、特に限定されない。ただし、防錆効果を有する材質を使用することが望まれるので、具体的には、ステンレス合金やアルミニウム合金などの金属、フィラー強化プラスチック、繊維強化プラスチックのいずれかからなると強度が高く好ましい。
【００２６】
このようにして、位置決めされた取付具６および補強プレート７の双方を厚さｔ4の締付けナット８により同時に、かつ確実に締め付け固定することで、蓋体２、取付具６、および補強プレート７が一体の構成となる。これにより、原水入水接続管４及び浄水流出接続管５の根元部分１１近傍の厚さは、蓋体２の厚さｔ1に対して、取付具６の厚さｔ2、補強プレート７の厚さｔ3、および締付けナット８の厚さｔ4の分だけ肉厚な構造となり、耐圧性および耐久性が高められることとなる。
【００２７】
締め付けナット８は、各接続管に設けられたネジに合わせて、取付具６および補強プレート７を各接続管の各根元部分１１に確実に押さえつけられるものであれば、特に限定されない。補強効果を長期に渡って強固に維持するため、バネ座金やＣリングを併用する形としてもよい。
【００２８】
以上説明したように本実施形態の浄水器は、補強プレート７を締付けナット８で締め付け固定することで原水入水接続管４および浄水流出接続管５の根元部分１１近傍を肉厚構造としている。このような構造を有する本実施形態の浄水器は、根元部分１１近傍の耐圧性および耐久性が高められているため、浄水器に常時水圧がかかる先止め方式の浄水器として特に適している。
【００２９】
また、本実施形態における、この肉厚構造は、実質的には補強プレート７を締付けナット８で締め付け固定しただけで得られるため、蓋体において原水入水接続管及び浄水流出接続管を溶接する部分を設計上肉厚としておく構造、蓋体内面側の接続配管に接する部分に補強部材を挿入した構造、あるいは、蓋体上面側に外付けで補強部材を挿入する構造等のように困難な溶接加工、あるいはコストアップを伴うこともない。
【００３０】
さらに、取付具６および補強プレート７は、原水入水接続管４及び浄水流出接続管５を差し込むだけで位置決めがされ、それぞれの締め付け固定も締付けナット８により同時に行うことができるため、製造工程が増すこともない。
【００３１】
なお、蓋体２に取り付けられた原水入水接続管４及び浄水流出接続管５の根元部分１１の近傍の肉厚構造は、蓋体外周部より肉厚構造となっており、コストアップを伴うことなく耐圧耐久性が高いものとなっていれば特に限定されない。
（第１の参考例）
図３に、本参考例の浄水器の、浄水器上部、蓋体近傍を拡大して示した模式断面図を示す。なお、以下の説明において、本発明の実施形態と同じ部材については本発明の実施形態で用いたものと同じ符号を用いて説明する。また、本参考例の浄水器は、以下に説明する補強プレート１７の形状が異なる以外は、本発明の実施形態に示した浄水器と同じ構成であるため、他の部分の詳細の説明は省略する。
【００３２】
本参考例の浄水器の補強プレート１７は、取付具６に当接する厚さｔ3の取付具当接部１７ａと締付けナット８に当接する厚さｔ3’のナット当接部１７ｂを有する。すなわち、補強プレート１７は、原水入水接続管４及び浄水流出接続管５の根元部分１１の周囲の厚みを特に厚くしたものである。これにより、原水入水接続管４及び浄水流出接続管５の根元部分１１近傍の厚さは、蓋体２の厚さｔ1に対して、取付具６の厚さｔ2、補強プレート７の、取付具当接部１７ａの厚さｔ3とナット当接部１７ｂの厚さｔ3’、および締付けナット８の厚さｔ4の分だけ肉厚な構造となり、耐圧性および耐久性が高められることとなる。なお、補強プレート１７で厚みに段差を設けている入角部は直角形状ではなく、ＲやＣ面取りを付加した形とするとより好ましい。
【００３３】
以上説明したように、本参考例の浄水器は、本発明の実施形態と同様に、コストアップを伴うことなく、原水入水接続管４および浄水流出接続管５の根元部部１１の耐圧性および耐久性を高めることができるので、浄水器に常時水圧がかかる先止め方式の浄水器を安価に提供することができる。
（第２の参考例）
図４に、本参考例の浄水器の、浄水器上部、蓋体近傍を拡大して示した模式断面図を示す。なお、本参考例の説明においても、本発明の実施形態と同じ部材については本発明の実施形態で用いたものと同じ符号を用いて説明する。また、本参考例の浄水器も、補強プレート２７の構成が異なる以外は、本発明の実施形態に示した浄水器と同じ構成であるため、他の部分の詳細の説明は省略する。
【００３４】
本参考例の浄水器の補強プレート２７は、蓋体２に当接する厚さｔ3の取付具当接部２７ａと締付けナット８に当接する厚さｔ3’のナット当接部２７ｂと、浄水器本体を設置するために用いる不図示のねじ留め用穴が形成された取付部２７ｃとを有する構成となっており、本発明の実施形態及び第１の参考例における取付具６としての機能を併せ持つものとなっている。
【００３５】
すなわち、補強プレート２７は、原水入水接続管４及び浄水流出接続管５の根元部分１１近傍の厚さが、蓋体２の厚さｔ1に対して、補強プレート７の、取付具当接部１７ａの厚さｔ3とナット当接部１７ｂの厚さｔ3’、および締付けナット８の厚さｔ4の分だけ肉厚な構造となり、耐圧性および耐久性が高められることとなるとともに、浄水器を設置場所に取り付ける取付具としての機能も併せ持つことで、部品点数を減らすことができる構成となっている。
【００３６】
また、本参考例の補強プレート２７は、原水入水接続管４と浄水流出接続管５とが離れて配置されている場合には、補強プレート２７の、原水入水接続管４と浄水流出接続管５との間に位置する中間部２７ｄの肉厚ｔ3＋ｔ3’（図４参照）を、肉厚ｔ3（図５参照）とするものであってもよい。これにより、肉厚構造を要求される原水入水接続管４と浄水流出接続管５の取付部近傍のみを肉厚構造とすることができ、重量増加を抑えることができる。
【００３７】
なお、補強プレート２７で厚みに段差を設けている入角部は直角形状ではなく、ＲやＣ面取りを付加した形とするとより好ましい。
【００３８】
以上説明したように、本参考例の浄水器も、本発明の実施形態及び第１の参考例と同様に、コストアップを伴うことなく、原水入水接続管４および浄水流出接続管５の根元部分１１の耐圧性および耐久性が高めることができるので、浄水器に常時水圧がかかる先止め方式の浄水器を安価に提供することができる。
（実施例）
以下、実施例を基に本発明をさらに詳細に説明する。
【００３９】
浄水器の全体構成は、図１に示すとおりのものであり、実施例１としては、浄水器上部構造が図２に示す、取付具６および補強プレート７を締付けナット８で締め付け固定した構成のものを用意し、実施例２としては、浄水器上部構造が図４に示す、取付具が一体的に設けられた補強プレート２７を締付けナット８で締め付け固定した構成のものを用意した。
【００４０】
さらに、比較例として、図２において、補強プレート７及び締め付けナット８を外したものを用意した。
【００４１】
なお、実施例１、実施例２および比較例の浄水器の全体構成は、いずれも図１に示すとおりのものである。
【００４２】
浄水器サンプルを、水温２５℃水槽中に投入し、０．７５ＭＰａでの加圧、続いて開放を１０秒間隔で繰り返す耐圧耐久試験を実施した。結果を表１に示す。
【００４３】
【表１】
2008080337.tif 000003
【００４４】
以上の結果より、各接続管の根元部分近傍を肉厚構造とする補強プレートの挿入により繰り返し耐圧強度が向上していることが分かる。
【図面の簡単な説明】
【００４５】
【図１】本発明の一実施形態における、浄水器の全体断面図である。
【図２】本発明の一実施形態の浄水器上部、蓋体近傍を拡大して示した模式断面図である。
【図３】本発明の第１の参考例の浄水器上部、蓋体近傍を拡大して示した模式断面図である。
【図４】本発明の第２の参考例の浄水器上部、蓋体近傍を拡大して示した模式断面図である。
【図５】本発明の第２の参考例において、原水入水接続管と浄水流出接続管とが離れて配置されている構成に対して好適な補強プレートの構成を示す浄水器上部、蓋体近傍の模式断面図である。
【符号の説明】
【００４６】
１    本体容器
２    蓋体
３    締付けバンド
４    原水入水接続管
５    浄水流出接続管
６    取付具
６ａ、６ｂ、７ａ、７ｂ    孔
６ｃ    ねじ留め用穴
７、１７、２７    補強プレート
８    締付けナット
９    浄水カートリッジ
１０    カートリッジ装着部
１１    根元部分
１７ｂ    ナット当接部
１７ａ    取付具当接部
２７ａ    取付具当接部
２７ｂ    ナット当接部
２７ｃ    取付部
２７ｄ    中間部
【図１】
2008080337.tif 000004
【図２】
2008080337.tif 000005
【図３】
2008080337.tif 000006
【図４】
2008080337.tif 000007
【図５】
2008080337.tif 000008